(57)【要約】【課題】ガーニッシュ本体がたとえ車体取付け後に歪む或いは変形したとしても、ブラケットが転んだ状態で装着されないように工夫した。【解決手段】窓枠１ｃに対応するように略コ字状に成形されたガーニッシュ本体５の裏面側に、係合爪片５ｄを複数個離間させて設け、且つ、ガーニッシュ本体５を窓枠１ｃに取付けるためのブラケット片６に、係合爪片５ｄに車外側に突出するように形成した突出片部５ｅが係合する係合孔６ｇを形成すると共に、突出片部５ｅに車体２の上方向又は下方向に延在する規制爪部５ｈを形成して、突出片部５ｅを係合孔６ｇに係合することによりガーニッシュ本体５の窓枠１ｃに対する上下方向動を規制すると共に、規制爪部５ｈを係合孔６ｇより窓枠１ｃ側に突出させてブラケット片６に当接させることによりガーニッシュ本体５を窓枠１ｃに対して左右方向動を規制するように構成した。【選択図】　図２
2004017780.tif 000002
【特許請求の範囲】
【請求項１】
自動車の窓枠の車室内側を美装するガーニッシュ取付け構造であって、
前記窓枠に対応するようにガーニッシュ本体裏面側に、係合爪片を複数個離間させて設け、且つ、前記ガーニッシュ本体を前記窓枠に取付けるためのブラケット片に、前記係合爪片に車外側に突出するように形成した突出片部が係合する係合孔を形成すると共に、前記突出片部に上方向に延在する規制爪部を形成したことを特徴とするガーニッシュ取付け構造。
【請求項２】
前記規制爪部の車室側面に車体前後方向に延在する掛合凹部を形成すると共に、該掛合凹部に掛合する掛合爪部を前記ブラケット片の車外側に延在するように突出形成して、
前記規制爪部を前記係合孔より前記車外側に突出させて前記ブラケット片に当接させた際に掛合凹部に前記掛合爪部を掛合するように構成したことを特徴とする請求項１記載のガーニッシュ取付け構造。
【発明の詳細な説明】
【０００１】
【発明の属する技術分野】
本発明は、自動車のスライドドア或いはバックドアにおける窓枠の車室内側を美装するガーニッシュ取付け構造に関する。
【０００２】
【従来の技術】
一般に、ワンボックスカー等の自動車において、図１に示すように、スライドドア１が車体２の前後方向にスライド可能に設けられて、車体２の側部開口部を開閉するように構成している。
【０００３】
スライドドア１は、下部におけるドア本体部１ａと上部におけるドアガラス１ｂを支持する窓枠１ｃを有して構成しており、窓枠１ｃの車室３側は、ガーニッシュ４によって美装されている。
【０００４】
従来のガーニッシュ４は、図６及び図７に示すように、窓枠１ｃの形状に対応するように略コ字状に成形されたガーニッシュ本体５とガーニッシュ本体５の裏面側に位置して窓枠１ｃにガーニッシュ本体５を取付けるためのブラケット片６とで構成している。
【０００５】
ガーニッシュ本体５は、略コ字状の枠状部５ａと枠状部５ａの車室３側側部に囲繞するように突出形成されたフランジ状部５ｂとを一体成形して構成している。
【０００６】
枠状部５ａの上側棚状部５ｃには、略Ｌ字状の係合爪片５ｄが互いに離間するように複数個設けられており、係合爪片５ｄの突出片部５ｅは車外側に起立している。
【０００７】
フランジ状部５ｂには、複数個の取付けボス部５ｆが車外側に起立形成されている。
【０００８】
フランジ状部５ｂと枠状部５ａの両側部とに跨るように、樹脂クリップ体５ｇの座部が設けられている。
【０００９】
ブラケット片６は、平板状部６ａと平板状部６ａの一端下方に延在する大略Ｌ字型を呈する垂設片部６ｂとを一体に成形して構成している。
【００１０】
平板状部６ａには、窓枠１ｃの取付け孔に嵌合する鉄クリップ体６ｃが複数個互いに離間して設置されると共に、鉄クリップ体６ｃの間に位置するように、取付けねじ孔６ｄが複数個設けられている。
【００１１】
垂設片部６ｂの折曲角部６ｅには、係合爪片５ｄの突出片部５ｅが係合する係合孔６ｇが形成されている。
【００１２】
上記のような構成により、ガーニッシュ４を窓枠１ｃの車室３側に取付け美装するには、先ず、ガーニッシュ本体５側の係合爪片５ｄをブラケット片６側の係合孔６ｇに挿入係合した後、取付けボス部５ｆと取付けねじ孔６ｄを対向させて、ビス７を取付けボス部５ｆに螺合することによって、ガーニッシュ本体５にブラケット片６を取付けておく。
【００１３】
次に、ガーニッシュ本体５側の樹脂クリップ体５ｇ及びブラケット片６側の鉄クリップ６ｃを窓枠１ｃに形成したクリップ孔に嵌合することによって、ガーニッシュ４を窓枠１ｃに装着して、窓枠１ｃの車室３側を美装している。
【００１４】
【発明が解決しようとする課題】
しかしながら、ガーニッシュ本体５は、窓枠１ｃ全体を美装するために相当大きくコ字状に成形され、それほど厚肉に形成することができないために、車体取付け後に歪む或いは変形するおそれがある。
【００１５】
ガーニッシュ本体５をブラケット６に取付けは、図８に示すように、係合爪片５ｄを係合孔６ｇに係合した後、ビス７を取付けねじ孔６ｄを挿通させて取付けボス部５ｆに螺合するが、断面略コ字状のガーニッシュ本体５が熱等により口開き方向に変形した場合、それに伴い、ブラケット６自体も変形してしまい、係合爪５ｄが係合孔６ｇから脱出するような力を受けて、ガーニッシュ本体５の平板状部６ａとの間に隙間Ｓ１ができたり、ブラケット６が逆に変形した場合には、窓枠１ｃと垂設片部６ｄとの間に隙間Ｓ２ができてしまい、この隙間Ｓ１，Ｓ２が、車室３の内外側からドアガラス２ｄを透過して視認されて、見栄えを劣化させてしまうことになる。
【００１６】
本発明は、かかる点に鑑み、ガーニッシュ本体がたとえ車体取付け後に歪む或いは変形したとしても、ブラケットが変形しないように工夫したガーニッシュ取付け構造を提供することを目的としている。
【００１７】
【課題を解決するための手段】
上記目的を達成するために、本発明は、自動車の窓枠の車室内側を美装するガーニッシュ取付け構造であって、窓枠に対応するようにガーニッシュ本体裏面側に、係合爪片を複数個離間させて設け、且つ、ガーニッシュ本体を窓枠に取付けるためのブラケット片に、係合爪片に車外側に突出するように形成した突出片部が係合する係合孔を形成すると共に、前記突出片部に上方向に延在する規制爪部を形成したものである。
【００１８】
本発明によれば、従来のように、ガーニッシュ本体にブラケット片を取付ける場合に、突出片部が係合孔に係合してガーニッシュ本体の窓枠に対する上下方向動を規制するばかりでなく、規制爪部を係合孔より窓枠側に突出させてブラケット片に当接させていることから、ガーニッシュ本体を窓枠に対して左右方向動を規制することができ、例えガーニッシュ本体が車体取付け後に歪んだり或いは変形したとしても、ブラケット片や窓枠に対して隙間なく対向できることになって、車室内外からの窓枠周辺部の見栄えを向上させることができる。
【００１９】
また、本発明は、前記規制爪部の車室側面に車体前後方向に延在する掛合凹部を形成すると共に、掛合凹部に掛合する掛合爪部をブラケット片の車外側に延在するように突出形成して、規制爪部を係合孔より車外側に突出させてブラケット片に当接させた際に掛合凹部に掛合爪部を掛合するように構成しており、掛合凹部への掛合爪部の掛合により、更に、ガーニッシュ本体が窓枠やブラケット片に隙間なく完全に装着されることになる。
【００２０】
【発明の実施の形態】
以下、本発明における実施の形態について、図を用いて説明する。
【００２１】
先ず、図１に示すように、一般に、スライドドア１は、車体２の前後方向にスライド可能に設けられて、車体２の側部開口部を開閉するように構成しており、スライドドア１は、下部におけるドア本体部１ａと上部におけるドアガラス１ｂを支持する窓枠１ｃを有して構成しており、窓枠１ｃの車室３側は、ガーニッシュ４によって美装されている。
【００２２】
そして、本発明における第１の実施の形態においては、従来構造に対応する構成について同一符号を用いて説明するに、図２及び図３に示すように、ガーニッシュ４は、窓枠１ｃの形状に対応するように略コ字状に成形されたガーニッシュ本体５とガーニッシュ本体５の裏面側に位置して窓枠１ｃにガーニッシュ本体５を取付けるためのブラケット片６とで構成している。
【００２３】
ガーニッシュ本体５は、略コ字状の枠状部５ａと枠状部５ａの車室３側側部に囲繞するように突出形成されたフランジ状部５ｂとを一体成形して構成している。
【００２４】
枠状部５ａの上側棚状部５ｃには、略Ｌ字状の係合爪片５ｄが互いに離間するように複数個設けられており、係合爪片５ｄの突出片部５ｅは車体側に起立している。
【００２５】
フランジ状部５ｂには、複数個の取付けボス部５ｆが車外側に起立形成されている。
【００２６】
フランジ状部５ｂと枠状部５ａの両側部とに跨るように、樹脂クリップ体５ｇの座部が設けられている。
【００２７】
ブラケット片６は、平板状部６ａと平板状部６ａの一端下方に延在する大略Ｌ字型を呈する垂設片部６ｂとを一体に成形して構成している。
【００２８】
平板状部６ａには、窓枠１ｃの取付け孔に嵌合する鉄クリップ体６ｃが複数個互いに離間して設置されると共に、鉄クリップ体６ｃの間に位置するように、取付けねじ孔６ｄが複数個設けられている。
【００２９】
垂設片部６ｂの折曲角部６ｅ付近には、係合爪片５ｄの突出片部５ｅが係合する係合孔６ｇが形成されている。
【００３０】
そして、本実施の形態においては、更に、突出片部５ｅに上方向に延在する規制爪部５ｈを形成して、突出片部５ｅを係合孔６ｇに係合することによりガーニッシュ本体５の窓枠１ｃに対する上下方向動を規制すると共に、規制爪部５ｈを係合孔６ｇより車外側に突出させて，ブラケット片６に当接させることによりガーニッシュ本体５を窓枠１ｃに対して左右方向動を規制するように構成している。
【００３１】
上記のような構成により、ガーニッシュ４を窓枠１ｃの車室３側に取付け美装するには、先ず、ガーニッシュ本体５側の係合爪片５ｄをブラケット片６側の係合孔６ｇに挿入係合し、規制爪部５ｈを掛合孔６ｇから突出させ図３に示すように窓枠１ｃに当接させた後、取付けボス部５ｆと取付けねじ孔６ｄを対向させて、ビス７を取付けボス部５ｆに螺合することによって、ガーニッシュ本体５にブラケット片６を取付けておく。
【００３２】
次に、ガーニッシュ本体５側の樹脂クリップ体６ｆ及びブラケット片６側の鉄クリップ６ｃを窓枠１ｃに形成したクリップ孔に嵌合することによって、ガーニッシュ４を窓枠１ｃに装着し、窓枠１ｃの車室３側を美装している。
【００３３】
上記のように構成したことにより、本実施の形態では、ガーニッシュ本体５にブラケット片６を取付ける場合に、突出片部５ｅが係合孔６ｇに係合してガーニッシュ本体５の窓枠１ｃに対する上下方向動を規制するばかりでなく、規制爪部５ｈを係合孔６ｇより車外側に突出させ，ブラケット片６に当接させていることから、ガーニッシュ本体５を窓枠１ｃに対して左右方向動を規制することができ、例えガーニッシュ本体５が車体取付け後に歪む或いは変形したとしても、ブラケット片６や窓枠１ｃに対して隙間なく対向できることになって、車室３の内外からの窓枠１ｃの周辺部の見栄えを向上させることができる。
【００３４】
図４及び図５は、本発明の第２の実施の形態を示すもので、上記第１の実施の形態の変形例として、規制爪部５ｈの垂設片部６ｂの側面に，車体前後方向に延在する掛合凹部５ｉを形成すると共に、掛合凹部５ｉに掛合する掛合爪部６ｉを垂設片部６ｂの車外側に延在するように突出形成している。
【００３５】
なお、この実施の形態では、係合孔６ｇの縁部から掛合爪部６ｉを延在させたが、垂設片部６ｂの車外側であればこれに限定されない。
【００３６】
そして、規制爪部５ｈを係合孔６ｇより窓枠１ｃ側に突出させてブラケット片６に当接させた際に、掛合凹部５ｉに掛合爪部６ｉを掛合するように構成したものである。
【００３７】
したがって、掛合凹部５ｉへの掛合爪部６ｉの掛合により，第１の実施の形態の構成に比較して、更に、ガーニッシュ本体５が窓枠１ｃやブラケット片６に隙間なく完全に装着されることになる。
【００３８】
なお、上記の実施の形態では、スライドドア１の窓枠１ｃにおけるガーニッシュ４について説明したが、これに限定されるものでなく、例えばバックドアの窓枠におけるガーニッシュの取付け構造にも本発明は適用できること明らかである。
【００３９】
【発明の効果】
以上説明したように、本発明によれば、ガーニッシュ本体にブラケット片を取付ける場合に、従来のように、突出片部が係合孔に係合してガーニッシュ本体の窓枠に対する上下方向動を規制するばかりでなく、規制爪部を係合孔より窓枠側に突出させてブラケット片に当接させていることから、ガーニッシュ本体を窓枠に対して左右方向動を規制することができ、例え車体取付け後にガーニッシュ本体が歪んだり或いは変形したとしても、ブラケット片や窓枠に対して隙間なく対向できることになって、車室内外からの窓枠周辺部の見栄えを向上させることができる。
【図面の簡単な説明】
【図１】サイドスライドドアを備えた一般的な自動車側部を車室側から描画した正面図である。
【図２】本発明における第１の実施の形態によるサイドドアガーニッシュの分解斜視図である。
【図３】図１のＡ−Ａ断面図である。
【図４】本発明における第２の実施の形態によるサイドドアガーニッシュの分解斜視図である。
【図５】図１のＡ−Ａ断面図である。
【図６】従来のサイドドアガーニッシュの分解斜視図である。
【図７】同じく、図１のＡ−Ａ断面図である。
【図８】同じく、図１のＡ−Ａ断面図で、ガーニッシュ本体が歪んだり変形した状態で窓枠に装着された状態を示している。
【符号の説明】
１　　スライドドア
１ｃ　窓枠
２　　車体
３　　車室
４　　ガーニッシュ
５　　ガーニッシュ本体
５ｄ　係合爪片
５ｅ　突出片部
５ｈ　規制爪
５ｉ　掛合凹部
６　　ブラケット片
６ｇ　係合孔
６ｉ　掛合爪部
【図１】
2004017780.tif 000003
【図２】
2004017780.tif 000004
【図３】
2004017780.tif 000005
【図４】
2004017780.tif 000006
【図５】
2004017780.tif 000007
【図６】
2004017780.tif 000008
【図７】
2004017780.tif 000009
【図８】
2004017780.tif 000010